(57)【要約】【課題】被写体描写に適切な陰影を画像に付与し、立体的な被写体を自然に再現した画像を得ることが可能なカメラを提供すること。【解決手段】本撮影に先立って第１の光源４及び第２の光源５を発光させて複数回の撮像を行い（ステップＳ１、ステップＳ２）、複数回の撮像によって得られた複数の画像データを並列表示し（ステップＳ３）、並列表示させた画像データの中から適当な画像データを選択させて（ステップＳ４）、選択された画像データを記録させる（ステップＳ７）。【選択図】図２
2005167376.tif 000002
【特許請求の範囲】
【請求項１】
被写体に向けて照明光を照射する照射手段と、
画像データを取得するための撮像手段と、
本撮影に先立って、上記照射手段の照射条件を複数回変化させ、これら複数回変化させたそれぞれの照明条件において、上記撮像手段により上記画像データを複数回取得するように制御する予備撮影手段と、
上記予備撮影手段で取得した複数の画像データに基づき、上記本撮影時における上記照射手段の照射条件を決定する決定手段と、
を具備することを特徴とするカメラ。
【請求項２】
上記予備撮影手段によって変化させる上記照射条件は、上記照明光を上記被写体に照射する場合と上記被写体に照射しない場合とを含むことを特徴とする請求項１に記載のカメラ。
【請求項３】
上記決定手段は、上記照明光を上記被写体に照射した場合に上記撮像手段によって取得した画像データと上記被写体に照射しない場合に上記撮像手段によって取得した画像データとを比較することにより、上記本撮影時における上記照射手段の照射条件を決定することを特徴とする請求項２に記載のカメラ。
【請求項４】
上記照射手段は、照射方向の異なる複数の光源を有しており、
上記予備撮影手段によって取得する複数の画像データは、上記複数の光源を選択的に動作させたときに上記撮像手段によって取得される複数の画像データであることを特徴とする請求項１に記載のカメラ。
【請求項５】
上記決定手段によって決定される照射手段の照射条件は、上記複数の光源のそれぞれの発光量であることを特徴とする請求項４に記載のカメラ。
【請求項６】
上記決定手段は、上記複数の光源を選択的に動作させたときに、上記被写体の影が最も大きく投影される光源を上記複数の光源の中から選択的に決定することを特徴とする請求項４に記載のカメラ。
【請求項７】
上記決定手段は、上記複数の光源を選択的に動作させたときに上記撮像手段によって取得される複数の画像データの中から主被写体の影に相当する画像を検出し、この影に相当する画像が最も大きくなる光源を、上記本撮影時に使用する光源に決定することを特徴とする請求項６に記載のカメラ。
【請求項８】
画像データを取得するための撮像手段と、
被写体に向けて照明光を照射する照射手段と、
これら複数回変化させたそれぞれの照明条件において、上記撮像手段により上記画像データを複数回取得するように制御する撮影制御手段と、
複数の画像データを並列表示する表示手段と、
撮影者の手動操作に応じて、上記複数の画像データのうちの１つを選択する選択手段と、
を具備することを特徴とするカメラ。
【請求項９】
上記照射手段は、照射方向の異なる複数の光源を有しており、
上記撮影制御手段によって取得する複数の画像データは、上記複数の光源を選択的に動作させたときに上記撮像手段によって取得される複数の画像データであることを特徴とする請求項８に記載のカメラ。
【請求項１０】
上記選択手段は、選択しなかった画像データを削除することを特徴とする請求項８に記載のカメラ。
【発明の詳細な説明】
【技術分野】
【０００１】
本発明は、立体的な被写体を画像上で自然に再現することが可能なカメラに関する。
【背景技術】
【０００２】
視差を有する光学系を用いて立体的な被写体を撮影し、３次元的な画像データを入力することができる機器が、特許文献１等で種々提案されている。しかし、通常、デジタルカメラ等で一般的に普及しているモニタ機器は２次元画像にしか対応していない。そこで、２次元画像においても自然な３次元被写体の描写を行う事ができるような技術が望まれている。このような技術の１つとしては、被写体に生じた影を利用して３次元的な立体感を再現するような手法がある。
【特許文献１】特開２００３−２０９８５９号公報
【発明の開示】
【発明が解決しようとする課題】
【０００３】
しかしながら、ストロボ等の光源を発光させて撮影を行う場合などでは、太陽や電灯などの照明によって被写体に生じた影を消すことができる一方で、影が消えてしまうことにより被写体の立体感が損なわれて平坦な画像となってしまう事が多い。
【０００４】
このことを、図１（ａ）を参照して更に説明する。図１（ａ）は、室内において、被写体１１１を撮影する例である。このとき、ストロボ等の光源４を発光させて撮影を行う。また、図１（ａ）の例においては、窓１１０から光が差しこんでいる。このため、被写体１１１には影１１２ができており、また、壁１２０には影１２１ができている。
【０００５】
このような状態において、光源４によって被写体１１１に照明光を照射して撮影を開始すると、撮影レンズ２を介して被写体１１１の像が撮像素子３に入射する。このとき、光源４による照明光が窓１１０からの光よりも強い場合には、光源４からの照明光によって被写体１１１にできた影１１２や壁１２０にできた影１２１が消えてしまう。更に、図１（ａ）の例では、被写体１１１に不自然な影１２２ができてしまう。
【０００６】
これは撮像素子３上においても同様であり、光源４からの照明光照射によって、自然な影の画像１３１が消え不自然な影の画像１３２が得られてしまう。この結果、得られる写真も不自然な陰影が施された写真となってしまう。
【０００７】
即ち、このようなシーンにおいて光源を発光させて撮影を行うのは、あまり好ましくないと言える。しかしながら、これをおそれて、光源発光なしの撮影を行うと手ブレが発生することがある。これでは、被写体の立体感や量感を自然に再現することができない。
【０００８】
本発明は、上記の事情に鑑みてなされたもので、被写体描写に適切な陰影を画像に付与し、立体的な被写体を自然に再現した画像を得ることが可能なカメラを提供することを目的とする。
【課題を解決するための手段】
【０００９】
上記の目的を達成するために、本発明の第１の態様のカメラは、被写体に向けて照明光を照射する照射手段と、画像データを取得するための撮像手段と、本撮影に先立って、上記照射手段の照射条件を複数回変化させ、これら複数回変化させたそれぞれの照明条件において、上記撮像手段により上記画像データを複数回取得するように制御する予備撮影手段と、上記予備撮影手段で取得した複数の画像データに基づき、上記本撮影時における上記照射手段の照射条件を決定する決定手段とを具備する。
【００１０】
この第１の態様によれば、本撮影に先立って取得した複数の画像データによって、本撮影時には適切な照明光を被写体に照射することができる。
【００１１】
また、上記の目的を達成するために、本発明の第２の態様のカメラは、画像データを取得するための撮像手段と、被写体に向けて照明光を照射する照射手段と、上記照射手段の照射条件を複数回変化させ、これら複数回変化させたそれぞれの照明条件において、上記撮像手段により上記画像データを複数回取得するように制御する撮影制御手段と、複数の画像データを並列表示する表示手段と、撮影者の手動操作に応じて、上記複数の画像データのうちの１つを選択する選択手段とを具備する。
【００１２】
この第２の態様によれば、本撮影に先立って取得した複数の画像データの中から適切な照明がなされている画像データを表示・選択できる。
【発明の効果】
【００１３】
本発明によれば、被写体描写に適切な陰影を画像に付与し、立体的な被写体を自然に再現した画像を得ることが可能なカメラを提供することができる。
【発明を実施するための最良の形態】
【００１４】
以下、図面を参照して本発明の実施形態について説明する。
【００１５】
［第１の実施形態］
図１（ａ）で説明したような課題を解決するために、本発明の第１の実施形態に係るカメラは、図１（ｂ）のような構成を有する。即ち、第１の実施形態では、照射手段として２つの光源、即ち第１の光源４及び第２の光源５を有している。ここで、第１の光源４及び第２の光源５は、照射方向がそれぞれ異なっており、それぞれ異なった方向から被写体１１１に陰影を施すことができるようになっている。これらの光源としては、例えば従来のカメラで用いられているようなストロボ装置を用いるようにすれば良い。また、近年では発光ダイオード（ＬＥＤ）の技術開発が進んでおり、白色ＬＥＤなどを補助光照射用の光源として利用するカメラも登場している。そこで、第１の光源４及び第２の光源５に、このような白色ＬＥＤを用いるようにしても良い。
【００１６】
制御部１は、撮影シーケンスなどのカメラ全体のシーケンス制御を行う。例えば、撮影者によってレリーズスイッチ１０がオンされた場合に、制御部１は撮影シーケンスの制御を開始する。この撮影シーケンスにおいては、撮影レンズ２を介して被写体１１１の像が、撮像素子３及び画像処理部６を有して構成される撮像手段に入力される。撮像素子３では、入射した像が電気的な像信号に変換されて画像処理部６に出力される。画像処理部６では、色調整、輝度入出力調整、圧縮制御等が行われて画像データが生成される。ここで、被写体に影を付与する場合等では、制御部１は第１の光源４及び第２の光源５の動作制御も行う。また、制御部１は、画像処理部６において生成された画像データを、記録部７に記録させたり、ＬＣＤ等の表示部８に表示させたりする際の制御も行う。
【００１７】
この表示において制御部１は、第１の光源４及び第２の光源５を順次発光させて得られた画像データを、表示部８に図３のように並列表示させる。これにより、撮影者は、表示部８上に表示された２種類の画像から何れか適当な方を選択できる。ここで、この選択は、選択スイッチ１１の操作状態により判定される。
【００１８】
更に、制御部１は、測距部９を制御してカメラから被写体１１１までの距離を測定し、この距離測定値に基づいて撮影レンズ２のピント位置制御も行う。
【００１９】
次に、図２を参照して制御部によって制御される撮影シーケンスについて更に詳しく説明する。即ち、図２において、制御部１は、まず第１の光源４を発光させて撮像を行い、画像データ８ａを取得する（ステップＳ１）。次に第２の光源５を発光させて撮影を行い、画像データ８ａを取得する（ステップＳ２）。そして、制御部１は、表示部８にステップＳ１及びステップＳ２で得られた２つの画像データを図３のように並列表示する（ステップＳ３）。
【００２０】
これら２つの画像データ８ａ及び８ｂを見て、撮影者は適切な影が生じているほうの画像データを選択スイッチ１１により選択する。制御部１は、選択スイッチ１１の状態により、何れの画像が選択されたのかを判定する（ステップＳ４）。ステップＳ４の判定において、画像データ８ａが選択された場合に、制御部１は、選択されなかったほうの画像データ８ｂを削除する（ステップＳ５）。一方、ステップＳ４の判定において、画像データ８ｂが選択された場合には、選択されなかったほうの画像データ８ａを削除する（ステップＳ６）。
【００２１】
画像データの削除が終了した後、制御部１は、選択されたほうの画像データを記録部７に記録させて（ステップＳ７）、図２の撮影シーケンスの制御を終了する。
【００２２】
以上説明したように、第１の実施形態によれば、光照射を異なる２方向から行うようにして被写体に影を施して撮影を行う。そして、適切な影が生じているほうの画像を撮影者に選択させることで、被写体に自然な陰影を付与して立体感のある写真撮影を行うことが可能である。
【００２３】
［第２の実施形態］
次に、本発明の第２の実施形態について説明する。第２の実施形態は、光源を１つのみ用いて、被写体の立体感や量感を自然に表現する例である。ここで、構成については図１（ｂ）の光源を１つにしただけであるので詳細な説明を省略する。
【００２４】
図４（ａ）から図４（ｃ）は、被写体の位置によって変化する像信号について示す分布図である。図４（ａ）は、光源の発光量を順次変化させたときの像信号の位置変化である。ここで、光源の発光を行わない状態で撮像素子３によって取得した像信号を、図４（ａ）の「発光なし」とする。ここで、光源の発光量を大きくしていくと、像信号の形状が変化していき、やがて、図４（ｂ）の「発光量５」のように「発光なし」とは全く異なる形状に変化する。
【００２５】
これは、太陽光や電灯の光などからの自然光の影響よりも、光源からの光の影響のほうが強くなるためである。このとき表示部８の画面上では、図３の画像データ８ｂのように不自然な陰影が施された状態となる。そこで、第２の実施形態では、このような不自然な陰影の画像が撮影されてしまうのを防止するために、自然光の影響に対する光源の光の影響を抑えるように露出条件を決める。即ち、ストロボ等の光によって画面内のどの部分がどのように変化したのかを判定して、その変化した部分が不自然にならないように再現する。
【００２６】
即ち、実際の撮影（本撮影）前に、光源を発光（プリ発光）させて撮像（像信号取得）を行ったときに画面内の特定の２点、即ちポイント１（Ｐ１）及びポイント２（Ｐ２）における像信号の大きさ（光量）が、光源の発光量に対して図５のような関係で変化するとき、これら２点Ｐ１とＰ２の光量Ｂが等しくなる光源の発光量ＩＸは、図５に示す２直線の交点から求めることができる。
【００２７】
ここで、Ｐ１は光源発光前の像信号の光量が大きく、光源発光後の像信号の光量の変化が小さい位置である。また、Ｐ２は、光源発光前の像信号の光量が小さく、光源発光後の像信号の光量の変化が大きい部分である。図５より、このように選択した２点の、光源発光なし時（発光量Ｉ０）の光量Ｂ１０及びＢ２０を求めることができる。また、光源発光時（発光量Ｉ１）の光量をそれぞれＢ１１及びＢ２１とすると、以下の（式１）及び（式２）で示すような発光量Ｉと光量Ｂとの関係が得られる。
【数１】
2005167376.tif 000003
【００２８】
ここで、Ｉ０＝０とすると、以下の（式３）及び（式４）が得られる。
【数２】
2005167376.tif 000004
【００２９】
これら（式３）から図６のＩｘを求めるには、
【数３】
2005167376.tif 000005
【００３０】
とおき、これをＩｘについて解けば、
【数４】
2005167376.tif 000006
【００３１】
となる。この（式６）の発光量Ｉｘで光源を発光させると、図４（ａ）の「発光量３」で示すような像信号となる。即ち、光源の発光前に生じていた陰影が、光源の発光によって消えてしまう。しかし、本撮影時の光源の発光量をプリ発光時の発光量と変えずに、露出時間だけを長くするようにすると、図４（ｃ）のように「発光なし」の像信号において光源発光前に明るかった部分が強調されて、本来の明暗関係と類似の像信号が得られる。このような考え方で、本撮影時の露出を制御する例を図６のフローチャートに示す。
【００３２】
即ち、制御部１は、適正な露出時間の半分の露出時間で、かつ光源を発光させずに撮像を行って像信号Ｉｍ１を取得する（ステップＳ１１）。次に、適正な露出時間の半分の露出時間で、かつ図５の「発光量１」で光源を発光させて同様に像信号を取得する（ステップＳ１２）。そして、ステップＳ１及びステップＳ２で得られた２つの像信号の間の変化から、上述した２点Ｐ１及びＰ２を求める（ステップＳ１３、ステップＳ１４）。
【００３３】
次に、制御部１は、２点Ｐ１及びＰ２部分の像信号変化（光量変化）によって、図５に示すグラフの各座標（Ｂ１０、Ｂ２０、Ｂ１１、Ｂ２１）を求める（ステップＳ１５、ステップＳ１６）。この後、（式５）を用いてストロボ発光量Ｉｘの算出を行い（ステップＳ１７）、この発光量Ｉｘでの光源を発光させ、かつ露出時間をステップＳ１１及びステップＳ１２の時よりも長い時間（例えば、適正露出時間）にして露出を行う（ステップＳ１８）。
【００３４】
ここで、ステップＳ１１及びステップＳ１２において、露出時間を短かくするのは、露出終了までのタイムラグを短くするためである。即ち、ステップＳ１１及びステップＳ１２では、像信号の明暗変化さえ分かればよいので、長い時間をかけて像信号の取り込みを行う必要がない。ここで、第２の実施形態では、説明を簡単にするために、露出時間を適正露出時間の半分としたが、実際には適正露出時間の１／４でも１／８でもよい。また、本撮影時の光源の発光量Ｉｘは、（式５）で得られた値をそのまま用いる必要はなく、発光量Ｉｘに補正係数を乗じたものを用いるようにしてもよい。
【００３５】
以上説明したように、第２の実施形態によれば、光源を１つのみ用いた場合でも、光源の発光により、手ブレを抑えつつ、かつ自然な陰影を損なわずに豊かな立体感のある写真撮影が可能となる。
【００３６】
［第３の実施形態］
次に、本発明の第３の実施形態について説明する。第３の実施形態は図７のシーン等で被写体に適切な陰影を施す例である。ここで、図７のシーンは、被写体が複数の光源１１０ａ及び１１０ｂによって照明されているようなシーンである。第３の実施形態では、このようなシーンにおいて被写体に適切な陰影を施すために、図８のように、撮影レンズ２に対して異なる位置に設けられた複数の光源（第１の光源４及び第２の光源５）を有するカメラ１００を用いる。これら第１の光源４及び第２の光源５は、何れか一方のみを発光させる又は両方同時に発光させることができる。
【００３７】
なお、以後は、光源が２つであるとして説明を行うが、光源を２つ以上設けるようにしてもよいことは言うまでもない。例えば、図８の例において撮影レンズ２の光軸を挟んで第１の光源４と反対側の位置に光源を設けるようにしてもよい。
【００３８】
即ち、第３の実施形態では、第１の光源４及び第２の光源５の発光量のバランスを制御することによって、被写体の雰囲気を保った配光を行うようにする。これにより、自然な光源発光撮影が可能である。このような制御は、図９に示すフローチャートに従って行われる。
【００３９】
まず、制御部１は、第１の光源４及び第２の光源５を共に発光させていない状態での被写体１１１の像信号Ｉｍ１を検出して画像データを生成する（ステップＳ２１）。ここで、このとき得られる画像は例えば図１０（ａ）に示すようなものであるとする。ここで、図の１０（ａ）に示されている数値は、第１の光源４と第２の光源５の発光量の比である。その後、第１の光源４の発光を開始させて（ステップＳ２２）、被写体１１１の像信号Ｉｍ２を検出して画像データを生成する（ステップＳ２３）。この発光によって得られる画像は図１０（ｂ）のようになる。像信号Ｉｍ２の検出後、第１の光源４の発光を終了させる（ステップＳ２４）。
【００４０】
続いて制御部１は、第２の光源５を発光を開始させて（ステップＳ２５）、被写体１１１の像信号Ｉｍ３を検出して画像データを生成する（ステップＳ２６）。この発光によって得られる画像は図１０（ｃ）のようになる。像信号Ｉｍ３の検出後、第２の光源５の発光を終了させる（ステップＳ２７）。これらの結果より、２つの光源をそれぞれ発光させたときに被写体像に与える影響を判定することができる。
【００４１】
次に制御部１は、第１の光源４と第２の光源５とを同時に発光させて（ステップＳ２８）、このときの被写体１１１の像信号Ｉｍ４を検出して画像データを生成する（ステップＳ２９）。この発光によって得られる画像は図１０（ｄ）のようになる。像信号Ｉｍ４の検出後、第１の光源４と第２の光源５の発光を終了させる（ステップＳ３０）。
【００４２】
なお、像信号Ｉｍ１〜Ｉｍ４を取得する際も、単に明暗変化が分かればよいだけなので、第２の実施形態でも説明したように適正露出時間よりも短かい露出時間で撮像を行うようにしてもよい。
【００４３】
次に、制御部１は、こうして得られた像信号Ｉｍ２〜Ｉｍ４の中から、像信号Ｉｍ１の明暗分布変化と類似度の高い像信号を選択する（ステップＳ３１）。そして、選択した像信号を取得したときの光源の組を選択する。次に、選択した光源で発光を行い（ステップＳ３２）、その状態で露出を行う（ステップＳ３３）。露出終了後、光源の発光を終了させる（ステップＳ３４）。
【００４４】
例えば、光源発光なしの状態で図１０（ａ）のような画像が得られる場合には、これと類似の画像が得られるものを図１０（ｂ）〜図１０（ｄ）の中から選択する（例えば、図１０（ｄ））。そして、選択した画像が得られるような光源の組で光源の発光を行って露出を行う。
【００４５】
なお、第３の実施形態の手法と第２の実施形態で説明した手法とを併用するようにしても良い。即ち、複数の光源を選択的に発光させて本撮影時の光源を選択するだけでなく、カメラ以外からの光の影響を加減して手ブレの起らない範囲で露出時間を延ばして適正な露出を得るようにしても良い。
【００４６】
また、図１０（ａ）のような画像を得るために、第１の光源４と第２の光源５の一方若しくは両方を発光させるだけでなく、図１０（ｅ）に示すように何れか一方の光源の発光時間を長くしたり短くしたり、さらには発光量を変化させるようにしても良い。この場合には、ステップＳ２１で取得した画像の影と類似の画像を、例えばパターン認識などの手法によって検出し、ここで検出した影と類似の影ができるような光源の組合せを図１０（ａ）〜図１０（ｅ）の中から選択するようにする。このようにして被写体により自然な影を与えることもできる。
【００４７】
以上説明したように、第３の実施形態によれば、被写体が複数の光源によって照明されていても、適切な陰影を付与した撮影を行うことができる。
【００４８】
［第４の実施形態］
次に、本発明の第４の実施形態について説明する。本発明の第４の実施形態は、第１から第３の実施形態で説明したような、光源の発光によって被写体に与える影を制御する技術を応用したものである。なお、この第４の実施形態では、測距部９として画面内の複数ポイントを測距することが可能な多点測距装置を用いる。
【００４９】
例えば、図１１のように、白壁１２０の前に白猫１１１が存在しているようなシーンでは、目視では立体ゆえ白猫１１１を視認可能である。しかし、２次元表示上では、色が同じであるので、保護色のようになって白猫１１１の輪郭が不明瞭になる。その結果、図１２（ａ）のように、白猫１１１の画像が背景の白壁１２０の画像に同化してしまうような写真が撮影されてしまう事がある。
【００５０】
そこで、第４の実施形態では、図１３に示すようなフローチャートに従った制御を行うことにより、白猫１１１の画像を白壁１２０の画像から浮かび上がらせる。まず、制御部１は、画面内の複数のポイントの距離測定を行い（ステップＳ４１）、図１４のような距離分布を検出する。更に、撮像を行い、その結果得られた画像データの各部の色情報を検出し（ステップＳ４２）、立体物（主被写体１１１）の色と背景の色とが類似色か否かを判定する（ステップＳ４３）。ステップＳ４３の判定において、主被写体１１１と背景１２０とが類似色でない場合には、ステップＳ４３をステップＳ４４に分岐して通常の露出での撮影を行う（ステップＳ４４）。
【００５１】
一方、ステップＳ４３の判定において、主被写体１１１が存在しているにもかかわらず、主被写体１１１が背景１２０と同じ色であり、２次元画像にした時に主被写体１１１を視認することが困難なシーンであると判定されると、ステップＳ４３をステップＳ４５に分岐する。この場合には、ストロボ光等の光源の光を有効に利用して、図１５のようにして壁１２０に白猫の影１２２を投影したり、壁１２０と白猫１１１との間に露出差を設けたりして、背景から主被写体を浮かび上がらせる。
【００５２】
即ち、制御部１は、図１４のように得られた距離分布により、背景と白猫との間の距離が所定距離よりも遠いか否かを判定する（ステップＳ４５）。このステップＳ４５の判定において、背景と白猫との距離が所定距離よりも近い、例えば白猫のすぐ後ろに壁があるような場合には、光源を発光させることで、白猫の影を図１２（ｂ）のように壁に投影して、その影で白猫の輪郭を明確にする。
【００５３】
特に、第１の実施形態や第３の実施形態で説明したような光源が２つある例においては、制御部１は、画像上の類似色部分を検出して（ステップＳ４６）、この検出結果に基づいて、図１５のように撮影レンズ２を中心として類似色部分から、より遠い方、即ち影がより大きく撮影されるほうの光源を選択し（ステップＳ４７）、この選択した光源を発光させて露出を行う（ステップＳ４８）。これにより、壁１２０上の影１２２が、撮像素子３上に入射して影画像１３１が取得され、図１２（ｂ）のように効果的な輪郭を形成できる。
【００５４】
また、ステップＳ４５の判定において、背景と白猫との距離が所定距離よりも遠い場合には、光源の光による露出量を自然光による露出量よりも支配的にすると、手前側に存在する白猫だけが正しい露出となり、遠くに存在する壁には光源の光が届かない。この結果、露出がアンダー気味となり図１２（ｃ）のように背景から主被写体を浮かび上がらせる事ができる。即ち、この場合に制御部１は、シャッタースピードを速くして（ステップＳ４９）、閃光の発光のみで露出制御を行い（ステップＳ５０）、光源の反射光のみによる露出を行う。
【００５５】
以上説明したように、第４の実施形態によれば、保護色のような効果によって主被写体が背景から分離できなくなるような画像が撮影されることがない。
【００５６】
以上実施形態に基づいて本発明を説明したが、本発明は上記した実施形態に限定されるものではなく、本発明の要旨の範囲内で種々の変形や応用が可能なことは勿論である。  
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５７】
【図１】本発明の第１の実施形態について説明するための図である。
【図２】本発明の第１の実施形態に係るカメラにおける撮影シーケンスの制御について説明するためのフローチャートである。
【図３】画像の並列表示の例を示す図である。
【図４】本発明の第２の実施形態について説明するための、被写体の位置に対する像信号について示した分布図である。
【図５】光源の発光量に対する被写体の光量の関係について示すグラフである。
【図６】本発明の第２の実施形態に係るカメラにおける撮影シーケンスの制御について説明するためのフローチャートである。
【図７】本発明の第３の実施形態が想定している撮影シーンの例を示す図である。
【図８】本発明の第３の実施形態に係るカメラの外観構成図である。
【図９】本発明の第３の実施形態に係るカメラにおける撮影シーケンスの制御について説明するためのフローチャートである。
【図１０】光源の組合せによって被写体に生じる影のパターンについて示した図である。
【図１１】本発明の第４の実施形態が想定している撮影シーンの例を示す図である。
【図１２】第４の実施形態について説明するための画像の撮影例を示す図である。
【図１３】本発明の第４の実施形態に係るカメラにおける撮影シーケンスの制御について説明するためのフローチャートである。
【図１４】多点測距によって得られる距離分布を示す図である。
【図１５】第４の実施形態に係るカメラによる影付与の例を示す図である。
【符号の説明】
【００５８】
１…制御部、２…撮影レンズ、３…撮像素子、４…第１の光源、５…第２の光源、６…画像処理部、７…記録部、９…測距部、１０…レリーズスイッチ、１１…選択スイッチ
【図１】
2005167376.tif 000007
【図２】
2005167376.tif 000008
【図３】
2005167376.tif 000009
【図４】
2005167376.tif 000010
【図５】
2005167376.tif 000011
【図６】
2005167376.tif 000012
【図７】
2005167376.tif 000013
【図８】
2005167376.tif 000014
【図９】
2005167376.tif 000015
【図１０】
2005167376.tif 000016
【図１１】
2005167376.tif 000017
【図１２】
2005167376.tif 000018
【図１３】
2005167376.tif 000019
【図１４】
2005167376.tif 000020
【図１５】
2005167376.tif 000021